(57)【要約】      （修正有）【課題】新しい放送技術にも対応して、放送波で伝送される情報を取得できない要因を特定する装置、方法及びプログラムを提供する。【解決手段】受信装置の制御部４３１は、放送波が含む偏波の旋回方向毎のチャンネルについて、アンテナから受信した受信信号の状態を判定し、判定結果を示す信号状態情報を生成する信号状態判定部４３５と、旋回方向について、複数のチャンネルの信号状態情報を取得し、取得した信号状態情報に基づいて、放送波の受信不良の要因を特定する判定部４３６とを備える。【選択図】図６
2016181872.tif 000002
【特許請求の範囲】
【請求項１】
放送波が含む偏波の旋回方向毎のチャンネルについて、
アンテナから受信した受信信号の状態を判定し、判定結果を示す信号状態情報を生成する信号状態判定部と、
一の前記旋回方向について、複数の前記チャンネルの前記信号状態情報を取得し、取得した信号状態情報に基づいて、前記放送波の受信不良の要因を特定する判定部と、
を備えることを特徴とする受信装置。
【請求項２】
前記判定部は、前記アンテナが前記一の旋回方向の偏波を受信できるか否かを判定する
ことを特徴とする請求項１に記載の受信装置。
【請求項３】
前記判定部は、予め定めた周波数以上の受信信号が受信できないときに、前記アンテナが全ての前記旋回方向の偏波を受信可能であるか否かを判定し、判定結果に基づいて、前記アンテナから自装置までの設備各々が前記放送波の少なくとも一部を受信できるか否かを判定する
ことを特徴とする請求項１又は請求項２に記載の受信装置。
【請求項４】
前記判定部は、前記受信信号に係る変調方式における信号振幅の大きさに基づいて、前記放送波の受信不良の要因を特定する
ことを特徴とする請求項１から請求項３にいずれか１項に記載の受信装置。
【請求項５】
前記判定部は、自装置の受信状態に関する通知情報を出力する
ことを特徴とする請求項１から請求項４のいずれか１項に記載の受信装置。
【請求項６】
前記判定部は、複数の前記チャンネルの前記信号状態情報と前記変調方式とを含む通知情報を出力する
ことを特徴とする請求項１から請求項５のいずれか１項に記載の受信装置。
【請求項７】
放送波が含むチャンネルについて、
アンテナから受信した受信信号の状態を判定し、判定結果を示す信号状態情報を生成する信号状態判定部と、
複数の前記チャンネルの前記信号状態情報と変調方式とを取得し、取得した信号状態情報と変調方式における信号振幅の大きさとに基づいて、前記放送波の受信不良の要因を特定する判定部と、
を備えることを特徴とする受信装置。
【請求項８】
第一の偏波で伝送される物理チャンネルの受信品質が所定の品質を満足せず、かつ、
第二の偏波で伝送される物理チャンネルのうち少なくとも１つの受信品質が所定の品質を満足する場合に、
第一の偏波の受信不良を通知する通知部を備える受信装置。
【請求項９】
所定周波数以上の周波数で伝送される物理チャンネルの受信品質が所定の品質を満足せず、かつ、
所定周波数未満の周波数で伝送される物理チャンネルのうち少なくとも１つの受信品質が所定の品質を満足する場合に、
所定周波数以上の受信不良を通知する通知部を備える受信装置。
【請求項１０】
振幅位相変調方式を用いて伝送される物理チャンネルの受信品質が所定の品質を満足せず、かつ、
振幅位相変調方式を用いずに伝送される物理チャンネルのうち少なくとも１つの受信品質が所定の品質を満足する場合に、
振幅位相変調方式の受信不良を通知する通知部を備える受信装置。
【請求項１１】
複数の物理チャンネルについて、物理チャンネル毎の、偏波と、変調方式と、受信品質と、を一覧表示する表示制御部をさらに備え、
前記変調方式は振幅位相変調方式を含む請求項８から請求項１０のいずれか１項に記載の受信装置。
【請求項１２】
放送波が含む偏波の旋回方向毎のチャンネルについて、信号状態判定部が、アンテナから受信した受信信号の状態を判定して、判定結果を示す信号状態情報を生成する信号状態判定過程と、
判定部が、一の前記旋回方向について、複数の前記チャンネルの前記信号状態情報を取得し、取得した信号状態情報に基づいて、前記放送波の受信不良の要因を特定する判定過程と、
を有することを特徴とする受信方法。
【請求項１３】
受信装置のコンピュータに、
放送波が含む偏波の旋回方向毎のチャンネルについて、
アンテナから受信した受信信号の状態を判定して、判定結果を示す信号状態情報を生成する信号状態判定手段と、
一の前記旋回方向について、
複数の前記チャンネルの前記信号状態情報を取得し、取得した信号状態情報に基づいて、前記放送波の受信不良の要因を特定する判定手段と、
を実行させるための受信プログラム。
【発明の詳細な説明】
【技術分野】
【０００１】
本発明は、受信装置、受信方法及び受信プログラムに関する。
【背景技術】
【０００２】
テレビジョン放送では、受像機（受信装置）は、受信処理設備を介して放送番組のコンテンツを受信する。放送番組のコンテンツは、ＩＦ信号（Ｉｎｔｅｒｍｅｄｉａｔｅ  Ｆｒｅｑｕｅｎｃｙ）信号を用いて、受信処理設備から受像機へ搬送される。ここで、ＩＦ信号とは受信処理設備が放送衛星から受信した放送波の周波数帯域を所定の中間周波数帯域に変換して得られる信号である。４Ｋ／８Ｋ超高精細テレビジョン放送（４Ｋ／８Ｋ  ＵＨＤＴＶ：Ｕｌｔｒａ  Ｈｉｇｈ  Ｄｅｆｉｎｉｔｉｏｎ  Ｔｅｌｅｖｉｓｉｏｎ）は、ＩＦ信号の周波数帯域が、従来のＢＳ（Ｂｒｏａｄｃａｓｔｉｎｇ  Ｓａｔｅｌｌｉｔｅ、放送衛星）放送とは異なる。そのため、受像機は、４Ｋ／８Ｋ  ＵＨＤＴＶに対応した受信処理設備を備えていなければ、放送番組のコンテンツを受信できないことがある。
【０００３】
従来から、放送番組のコンテンツを受信できない場合に、衛星放送では、その要因を推定する機能を備えた受信装置が提案されている。例えば、特許文献１には、地上デジタル放送のチャンネルスキャンを行うにあたり、衛星ＳＮ（Ｓｉｇｎａｌ−ｔｏ−Ｎｏｉｓｅ  Ｒａｔｉｏ）の受信条件を満たすかどうかを判定する放送受信装置について記載されている。
【先行技術文献】
【特許文献】
【０００４】
【特許文献１】特開２０１２−４４４６４号公報
【発明の概要】
【発明が解決しようとする課題】
【０００５】
ところで、４Ｋ／８Ｋ  ＵＨＤＴＶでは、周波数の有効活用とサービスの拡充を両立するため、２０１６年から左旋円偏波（左旋偏波とも呼ばれる）の利用が予定されている。しかしながら、受信装置（受像機）は、右旋円偏波成分と左旋円偏波成分とを取得するための受信設備に接続されるとは限らない。受信装置は、このような受信設備に接続されている場合には、放送波の受信不良を生じてしまう。
また、ＳＨＶ（Ｓｕｐｅｒ  Ｈｉｇｈ  Ｖｉｓｉｏｎ（超高精細度テレビジョン放送））では、変調方式として、８値位相変調（８ＰＳＫ（Ｐｈａｓｅ  Ｓｈｉｆｔ  Ｋｅｙｉｎｇ））だけでなく、振幅情報も利用した１６値振幅位相変調（１６ＡＰＳＫ（Ａｍｐｌｉｔｕｄｅ  Ｐｈａｓｅ  Ｓｈｉｆｔ  Ｋｅｙｉｎｇ））の利用が予定されている。しかしながら、受信装置に十分な強度の信号を入力するために、アンテナから受信装置の間にブースターが使用される場合がある。この場合に、ブースターは、８ＰＳＫを用いた信号と比較して、１６ＡＰＳＫを用いた信号に対して、非線形の歪みを生じさせ易い。非線形の歪みが生じた場合には、受信装置は、放送波の受信不良を生じてしまう。
以上のように、新しい放送技術が導入されたとき、受信不良の要因が新たに発生する場合がある。しかしながら、従来の受信装置では、新しい放送技術の導入によって受信不良となった場合でも、受信不良の要因を特定できないという問題があった。
【課題を解決するための手段】
【０００６】
本発明は、上記の課題を解決するためになされたものであり、本発明の一態様は、放送波が含む偏波の旋回方向毎のチャンネルについて、アンテナから受信した受信信号の状態を判定し、判定結果を示す信号状態情報を生成する信号状態判定部と、一の前記旋回方向について、複数の前記チャンネルの前記信号状態情報を取得し、取得した信号状態情報に基づいて、前記放送波の受信不良の要因を特定する判定部と、を備えることを特徴とする受信装置である。
【０００７】
また、本発明の一態様は、上述の受信装置において、前記判定部が、前記アンテナが前記一の旋回方向の偏波を受信できるか否かを判定することを特徴とする受信装置である。
【０００８】
また、本発明の一態様は、上述の受信装置において、前記判定部が、予め定めた周波数以上の受信信号が受信できないときに、前記アンテナが全ての前記旋回方向の偏波を受信可能であるか否かを判定し、判定結果に基づいて、前記アンテナから自装置までの設備各々が前記放送波の少なくとも一部を受信できるか否かを判定することを特徴とする受信装置である。
【０００９】
また、本発明の一態様は、上述の受信装置において、前記判定部が、前記受信信号に係る変調方式における信号振幅の大きさに基づいて、前記放送波の受信不良の要因を特定することを特徴とする受信装置である。
【００１０】
また、本発明の一態様は、上述の受信装置において、前記判定部が、自装置の受信状態に関する通知情報を出力することを特徴とする受信装置である。
【００１１】
また、本発明の一態様は、上述の受信装置において、前記判定部が、複数の前記チャンネルの前記信号状態情報と前記変調方式とを含む通知情報を出力することを特徴とする受信装置である。
【００１２】
また、本発明の一態様は、放送波が含むチャンネルについて、アンテナから受信した受信信号の状態を判定し、判定結果を示す信号状態情報を生成する信号状態判定部と、複数の前記チャンネルの前記信号状態情報と変調方式とを取得し、取得した信号状態情報と変調方式における信号振幅の大きさとに基づいて、前記放送波の受信不良の要因を特定する判定部と、を備えることを特徴とする受信装置である。
【００１３】
また、本発明の一態様は、第一の偏波で伝送される物理チャンネルの受信品質が所定の品質を満足せず、かつ、第二の偏波で伝送される物理チャンネルのうち少なくとも１つの受信品質が所定の品質を満足する場合に、第一の偏波の受信不良を通知する通知部を備える受信装置である。
【００１４】
また、本発明の一態様は、所定周波数以上の周波数で伝送される物理チャンネルの受信品質が所定の品質を満足せず、かつ、所定周波数未満の周波数で伝送される物理チャンネルのうち少なくとも１つの受信品質が所定の品質を満足する場合に、所定周波数以上の受信不良を通知する通知部を備える受信装置である。
【００１５】
また、本発明の一態様は、振幅位相変調方式を用いて伝送される物理チャンネルの受信品質が所定の品質を満足せず、かつ、振幅位相変調方式を用いずに伝送される物理チャンネルのうち少なくとも１つの受信品質が所定の品質を満足する場合に、振幅位相変調方式の受信不良を通知する通知部を備える受信装置である。
【００１６】
また、本発明の一態様は、複数の物理チャンネルについて、物理チャンネル毎の、偏波と、変調方式と、受信品質と、を一覧表示する表示制御部をさらに備え、前記変調方式は振幅位相変調方式を含むことを特徴とする受信装置である。
【００１７】
また、本発明の一態様は、放送波が含む偏波の旋回方向毎のチャンネルについて、信号状態判定部が、アンテナから受信した受信信号の状態を判定して、判定結果を示す信号状態情報を生成する信号状態判定過程と、判定部が、一の前記旋回方向について、複数の前記チャンネルの前記信号状態情報を取得し、取得した信号状態情報に基づいて、前記放送波の受信不良の要因を特定する判定過程と、を有することを特徴とする受信方法である。
【００１８】
また、本発明の一態様は、受信装置のコンピュータに、放送波が含む偏波の旋回方向毎のチャンネルについて、アンテナから受信した受信信号の状態を判定して、判定結果を示す信号状態情報を生成する信号状態判定手段と、一の前記旋回方向について、複数の前記チャンネルの前記信号状態情報を取得し、取得した信号状態情報に基づいて、前記放送波の受信不良の要因を特定する判定手段と、を実行させるための受信プログラムである。
【発明の効果】
【００１９】
本発明によれば、受信不良の要因を特定できる。
【図面の簡単な説明】
【００２０】
【図１】本実施形態に係る放送システムの構成を示すブロック図である。
【図２】本実施形態に係る送信装置の構成を示すブロック図である。
【図３】ネットワーク情報の例を示す図である。
【図４】衛星分配システム記述子の例を示す図である。
【図５】本実施形態に係る受信装置の構成を示すブロック図である。
【図６】本実施形態に係る制御部の構成を示すブロック図である。
【図７】本実施形態に係る受信処理を示すフローチャートである。
【図８】本実施形態に係る受信状態リストの例を示す図である。
【図９】本実施形態に係る受信処理に係る表示例を示す図である。
【図１０】本実施形態に係る受信状態の判定処理を説明するための図である。
【図１１】本実施形態に係るメッセージ画面の例を示す図である。
【発明を実施するための形態】
【００２１】
（第１の実施形態）
本発明の第１の実施形態について、図面を参照しながら説明する。
図１は、本実施形態に係る放送システム１の構成を示すブロック図である。放送システム１は、送信装置１１−１と、送信装置１１−２と、送信装置１１−３と、受信設備３と、受信装置４１とを含んで構成される。以下では、送信装置１１−１と、送信装置１１−２と、送信装置１１−３を、まとめて、送信装置１１という。なお、図１では送信装置１１は３しか図示されないが、任意の数であってもよい。
送信装置１１は、放送波を送信する装置である。送信装置１１は、放送伝送路１２を介して放送波を受信処理設備３１に送信する。送信装置１１は、例えば、放送事業者毎に設置される。
【００２２】
放送伝送路１２は、放送波を不特定多数の受信装置４１に同時に伝送する伝送路である。放送伝送路１２は、放送衛星１３に積載された中継装置（図示せず）を含んで構成される。放送衛星１３には、放送専用の放送衛星であるＢＳ（Ｂｒｏａｄｃａｓｔｉｎｇ  Ｓａｔｅｌｌｉｔｅ）と、通信に用いられる通信衛星であるＣＳ（Ｃｏｍｍｕｎｉｃａｔｉｏｎ  Ｓａｔｅｌｌｉｔｅ）とがある。ＢＳとＣＳのどちらを用いるかは、周波数帯域のグループに応じて予め定められている。
【００２３】
中継装置は、送信装置１１から受信した放送波の周波数をシフトする装置である。また、中継装置は、受信設備３が受信する放送波として、右旋回方向の偏波（右旋円偏波、右旋偏波）または左旋回方向の偏波（左旋円偏波、左旋偏波）を生成する装置である。右旋円偏波と左旋円偏波のどちらを用いるかは、放送波の周波数帯域のグループに応じて予め定められている。
なお、放送伝送路１２の一部には、通信回線、例えば、送信装置１１から電波を送信するための送信設備までの通信回線が含まれてもよい。以下の説明では、放送伝送路１２を介して放送波を伝送（送信、受信）することを、「放送で伝送（送信、受信）する」と呼ぶことがある。
【００２４】
受信設備３は、受信処理設備３１と、ブースター３２と、分配器３３とを含んで構成される。
受信処理設備３１は、各送信装置１１が送信した放送波を、放送伝送路１２を介して受信するアンテナ３１１と、アンテナ３１１が受信した放送波による受信信号から、ＩＦ信号を生成する変換部３１２を含んで構成される。
受信処理設備３１は、各送信装置１１が送信した放送波を、放送伝送路１２を介して受信する。受信処理設備３１は、受信した放送波をＩＦ信号に変換する。受信処理設備３１は、変換後のＩＦ信号を、例えばブースター３２や分配器３３、ケーブル３４を介して、受信装置４１へ出力する。ここで、ブースター３２とは、入力された信号を増幅して出力する信号増幅器である。ブースター３２は、入力された信号を設定された利得で増幅して出力する。一方で、ブースター３２は、出力信号に非線形の歪みを生じることがある。その場合とは、例えば、入力信号の強度がブースター３２の許容レベルを超えている場合である。あるいは、ブースター３２の利得が高く設定されている場合である。分配器は、入力された高周波信号を、インピーダンス整合が乱れないようにしながら複数の出力信号に分配するものである。ケーブル３４は、ＩＦ信号を受信処理設備３１から受信装置４１へ伝送する信号配線である。
なお、受信処理設備３１は、マンションやビル等の施設毎に設置される。ただし、受信処理設備３１は、各家庭や事業所等に設置されることも、複数の施設の組毎に設置されることもある。
受信装置４１は、テレビジョン受像機であり、受信処理設備３１が出力したＩＦ信号に基づいて、番組のデータに含まれる映像及び音声の出力を行う。受信装置４１は、各家庭や事業所等に設置される。受信装置４１は、例えば、デジタル放送受信装置である。
【００２５】
本実施形態では、放送波は、右旋回方向の偏波と左旋回方向の偏波を含む。受信装置４１は、放送波が含む偏波の旋回方向毎のチャンネルについて、アンテナから受信した受信信号の状態を判定し、判定結果を示す信号状態情報を生成する。受信装置４１は、一の旋回方向（例えば、左旋回方向）について、複数のチャンネルの信号状態情報を取得し、取得した信号状態情報に基づいて、放送波の受信不良の要因を特定する。これにより、受信装置４１は、左旋回方向の偏波が導入された場合でも、放送波の受信不良の要因を特定できる。
例えば、受信装置４１は、アンテナが左旋回方向の偏波を受信できるか否かを判定できる。つまり、受信装置４１は、左旋回方向の偏波が導入された場合でも、放送波の受信不良の要因がアンテナであることを特定できる。
【００２６】
また、送信装置１１の少なくとも１つは、８ＰＳＫを用いた信号を、放送波として送信する。一方、他の送信装置１１は、１６ＡＰＳＫを用いた信号を、放送波として送信する。ここで、８ＰＳＫは位相の異なる８個の信号点配置で構成されるデジタル位相変調方式である。その他、位相が異なる信号点配置で構成される変調方式としては、ＢＰＳＫ（Ｂｉｎａｒｙ  Ｐｈａｓｅ  Ｓｈｉｆｔ  Ｋｅｙｉｎｇ（バイナリ―位相変調））、π／２シフトＢＰＳＫ、ＱＰＳＫ（Ｑｕａｄｒａｔｕｒｅ  Ｐｈａｓｅ  Ｓｈｉｆｔ  Ｋｅｙｎｇ（直交位相変調））、π／４シフトＱＰＳＫ、等がある。１６ＡＰＳＫは振幅及び位相の異なる１６個の信号点配置で構成されるデジタル振幅位相変調方式である。その他、振幅と位相が異なる信号点配置で構成される変調方式としては、３２ＡＰＳＫ、１６ＱＡＭ（Ｑｕａｄｒａｔｕｒｅ  Ａｍｐｌｉｔｕｄｅ  Ｍｏｄｕｌａｔｉｏｎ（直角位相振幅変調））、６４ＱＡＭ、等がある。１６ＡＰＳＫは、８ＰＳＫより多くの情報を伝送できる一方で、信号振幅を情報として利用するため、信号の非線形の歪みに対して８ＰＳＫより耐性が低い。つまり、１６ＡＰＳＫを用いた信号は、ブースターによって、信号の非線形の歪みを受ける場合がある。つまり、ブースターによって信号が非線形の歪みを受ける場合、１６ＡＰＳＫは、８ＰＳＫより信号の非線形の歪みの影響を受けやすく、ビット誤り率が高くなる。この場合には、受信装置４１では、ブースターを要因として、受信不良が発生する。
本実施形態では、受信装置４１は、受信信号に係る変調方式における信号振幅の大きさに基づいて、放送波の受信不良の要因を特定する。これにより、例えば、受信装置４１は、変調方式が１６ＡＰＳＫの場合に、放送波の受信不良の要因がブースターであることを特定できる。つまり、受信装置４１は、変調方式に１６ＡＰＳＫが導入された場合でも、放送波の受信不良の要因がブースターであることを特定できる。
以上のように、受信装置４１は、受信不良の要因を特定できる。
【００２７】
（送信装置の構成）
次に、本実施形態に係る送信装置１１の構成について説明する。
図２は、本実施形態に係る送信装置１１の構成を示すブロック図である。送信装置１１は、配信データ取得部１１１、番組データ取得部１１２、告知データ取得部１１３、制御データ取得部１１４、多重化部１１５、及び変調部１１６を含んで構成される。送信装置１１には、アンテナ１１７が接続されている。
【００２８】
配信データ取得部１１１は、例えば、新たなバージョンのソフトウェアが入力されるデータ取得部である。配信データ取得部１１１は、入力されたソフトウェアを所定の形式、例えば、セクション形式のデータに変換し、配信用のデータ（配信データ）を生成する。配信データ取得部１１１には、生成した配信データを所定の方式、例えば、データカルーセル方式で多重化部１１５を介して放送伝送路１２へ送信する。データカルーセル方式は、同一のデータを一定期間繰り返し送信する方式である。
【００２９】
番組データ取得部１１２は、番組データが入力されるデータ取得部である。番組データは、放送番組のコンテンツを表現する映像データと音声データを含むデータである。番組データ取得部１１２は、入力された番組データについて所定の形式、例えば、ＭＭＴ（ＭＰＥＧ：Ｍｏｖｉｎｇ  Ｐｉｃｔｕｒｅ  Ｅｘｐｅｒｔ  Ｇｒｏｕｐ  Ｍｅｄｉａ  Ｔｒａｎｓｐｏｒｔ）形式に変換し、変換した番組データを多重化部１１５へ出力する。
【００３０】
告知データ取得部１１３は、例えば、新たなソフトウェアのダウンロードに関する告知データが入力されるデータ取得部である。告知データ取得部１１３は、取得した告知データを多重化部１１５へ出力する。
【００３１】
制御データ取得部１１４には、上述したデータを受信装置４１が受信ならびに分離するための制御データが入力されるデータ取得部である。制御データには、番組データと告知データの配信と、配信データの配信、及びそれぞれのネットワーク情報が含まれる。ネットワーク情報は、放送伝送路１２で伝送される放送波の周波数（ｆｒｅｑｕｅｎｃｙ）、偏波（ｐｏｌａｒｉｓａｔｉｏｎ）、変調方式（ｍｏｄｕｌａｔｉｏｎ）等の物理的条件を含む。制御データは、例えば、ＴＬＶ（Ｔｙｐｅ  Ｌｅｎｇｔｈ  Ｖａｌｕｅ）用ネットワーク情報テーブル（ＴＬＶ＿Ｎｅｔｗｏｒｋ＿Ｉｎｆｏｒｍａｔｉｏｎ  Ｔａｂｌｅ（））で表される。制御データ取得部１１４は、取得した制御データを多重化部１１５へ出力する。
【００３２】
多重化部１１５は、配信データ取得部１１１から入力された配信データ、番組データ取得部１１２から入力された番組データ、告知データ取得部１１３から入力された告知データ、及び制御データ取得部１１４から入力された制御データを多重化して、所定の形式（例えば、ＴＬＶ形式）の多重化データを生成するものである。多重化部１１５は、生成した多重化データを変調部１１６へ出力する。
【００３３】
変調部１１６は、多重化部１１５から入力された多重化データを所定の変調方式（例えば、ＡＰＳＫ：Ａｍｐｌｉｔｕｄｅ  Ｐｈａｓｅ  Ｓｈｉｆｔ  Ｋｅｙｉｎｇ（振幅位相変位変調））を用いて変調し、放送波で送信する信号を生成する変調部である。変調方式には、例えば、８値位相変調（８ＰＳＫ（Ｐｈａｓｅ  Ｓｈｉｆｔ  Ｋｅｙｉｎｇ））や、振幅情報も利用した１６値振幅位相変調（１６ＡＰＳＫ）がある。ここで、８ＰＳＫは、位相の異なる８個の信号点配置で構成されるデジタル位相変調方式であるのに対し、１６ＡＰＳＫは、振幅及び位相の異なる１６個の信号点配置で構成されるデジタル振幅位相変調方式である。１６ＡＰＳＫは、８ＰＳＫより多くの情報を伝送できる一方で、信号振幅を情報として利用するため、信号の非線形の歪みに対して８ＰＳＫより耐性が低い。
【００３４】
変調部１１６には、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が入力される。ＴＭＣＣ信号は、受信装置の復調動作に係る情報（ＴＭＣＣ情報）を伝送するものである。ＴＭＣＣ信号は、送信装置１１の変調方式の情報を含む。
変調部１１６は、変調を行う前の前処理として、例えば、誤り検出符号化とインターリーブを行う。変調部１１６は、前処理を行うことで、多重化データの、ノイズや符号誤りに対する耐性を強化する。変調部１１６は、誤り検出符号化において、例えばＢＣＨ（Ｂｏｓｅ  Ｃｈａｕｄｈｕｒｉ  Ｈｏｃｑｕｅｎｇｈｅｍ）符号化及びＬＤＰＣ（Ｌｏｗ−ｄｅｎｓｉｔｙ  Ｐａｒｉｔｙ−ｃｈｅｃｋ  Ｃｏｄｅ）符号化を行う。インターリーブとは、データを構成するビット列の順序を所定の順序に並び替える処理である。
変調部１１６は、変調した多重化データに、対応するＴＭＣＣ信号を付加して信号を生成し、その信号を搬送周波数でアップコンバートして送信信号を生成する。変調部１１６は、生成した送信信号をアンテナ１１７へ出力する。
【００３５】
アンテナ１１７は、変調部１１６から入力された送信信号を放送波として送信するアンテナである。
【００３６】
（ネットワーク情報のデータ構造）
次に、各種のデータの配信に係るネットワーク情報の例について説明する。
図３は、ネットワーク情報の例を示す図である。図３に示す例では、ネットワーク情報は、ＴＬＶ用ネットワーク情報テーブルで表される。ＴＬＶ用ネットワーク情報テーブルは、ＴＬＶストリーム識別（ｔｌｖ＿ｓｔｒｅａｍ＿ｉｄ）のそれぞれについて記述子領域（ｄｅｓｃｒｉｐｔｏｒ（））を含むことができる。ここで、上り伝送チャネルは、ＴＬＶストリーム識別により識別される。上り伝送チャネルは、下り伝送チャネルに対応しているため、受信装置４１は、ＴＬＶストリーム識別により、下り伝送チャネルを識別することができる。記述子領域には、衛星分配システム記述子（Ｓａｔｅｌｌｉｔｅ＿Ｄｅｌｉｖｅｒｙ＿Ｓｙｓｔｅｍ＿Ｄｅｓｃｒｉｐｔｏｒ（））が記述される。
【００３７】
（衛星分配システム記述子のデータ構造）
次に、衛星分配システム記述子のデータ構造について説明する。
図４は、衛星分配システム記述子の例を示す図である。図４に示す例では、衛星分配システム記述子は、周波数（ｆｒｅｑｕｅｎｃｙ）、偏波（ｐｏｌａｒｉｓａｔｉｏｎ）及び変調方式（ｍｏｄｕｌａｔｉｏｎ）を含む。周波数には、それぞれの下り伝送チャネルの中心周波数が記述される。偏波には、それぞれの下り伝送チャネルの放送波の偏波特性を示す値が記述される。例えば、「１０」、「１１」は、それぞれ左旋円偏波、右旋円偏波を示す値である。変調方式には、変調方式を示す値が記述される。例えば、「００００１」、「０１０００」、「０１００１」、「０１０１０」、「０１０１１」は、それぞれＱＰＳＫ、広帯域衛星デジタル放送方式、２．６ＧＨｚ帯衛星デジタル音声放送方式、高度狭帯域ＣＳデジタル放送方式、高度広帯域衛星デジタル放送方式を示す値である。
【００３８】
（受信装置の構成）
次に、受信装置４１の構成について説明する。図５は、本実施形態に係る受信装置４１の構成を示すブロック図である。受信装置４１は、チューナー４１１、復調部４１２、分離部４１３、音声復号部４１４、拡声部４１５、映像復号部４１６、画面合成部４１７、表示部４１８、記憶部４２２、操作入力部４２３及び制御部４３１を含んで構成される。
【００３９】
チューナー４１１には、受信処理設備３１からＩＦ信号が入力される。ここで、ＩＦ信号とは、受信処理設備３１が放送波を受信して取得した受信信号を、所定の局発周波数で変換して生成された、中間周波数信号である。ＩＦ信号を変換する際に用いられる局発周波数は、偏波の旋回方向毎のチャンネルで異なり、さらに、ＢＳとＣＳの間でも異なる。ＩＦ信号の周波数帯域は、それぞれ異なる物理チャネルとして区分される。以下の説明では、変換後の周波数帯域、中間周波数を、それぞれＩＦ周波数帯域、ＩＦ中間周波数と呼ぶ。また、個々の物理チャンネルのＩＦ周波数帯域の成分を、単にＩＦ信号と呼ぶこともある。
チューナー４１１は、入力されたＩＦ信号について、指定された物理チャンネルに対応するＩＦ周波数帯域の成分（ＩＦ周波数帯域成分）を検出する。指定された物理チャンネルとは、制御部４３１から入力された選局信号で指定された物理チャンネルである。
チューナー４１１は、検出したＩＦ周波数帯域の成分を、指定された物理チャンネルに対応するＩＦ中心周波数で、ベースバンド信号に変換する。チューナー４１１は、このベースバンド信号を復調部４１２へ出力する。また、チューナー４１１は、このＩＦ周波数帯域成分の信号強度として、電界強度を示す信号強度情報を制御部４３１へ出力する。
【００４０】
復調部４１２には、チューナー４１１から、指定された物理チャンネルに対応するベースバンド信号が入力される。復調部４１２は、このベースバンド信号に付加されたＴＭＣＣ信号から、ＴＭＣＣ情報を取得する。復調部４１２は、取得したＴＭＣＣ情報から、この入力信号の変調方式を示す符号を読み取って、変調方式を示す情報（変調情報）を取得する。復調部４１２は、取得した変調情報が示す変調方式に対応する復調方式を用いて復調する。
【００４１】
復調部４１２は、復調によって得られたデータについてフロントエンド選局処理を行って、復調された多重化データを再生する。ここで、フロントエンド選局処理とは、送信装置１１の変調部１１６で行われた前処理に対して、その逆処理に相当する後処理である。復調部４１２は、フロントエンド選局処理として、例えば、復調によって得られたデータについて、デインターリーブ処理、誤り訂正処理（例えば、ＬＤＰＣ復号及びＢＣＨ復号）を行う。復調部４１２は、それぞれの復号において実行される誤り訂正処理におけるパリティチェックにより、復調に成功したか否かを判定する。復調部４１２は、復調に成功したとき、再生された多重化データを分離部４１３と制御部４３１へ出力する。また、復調部４１２は、復調に成功したか否かを示す復調状態信号を制御部４３１へ出力する。
【００４２】
分離部４１３は、復調部４１２から入力された多重化データを、配信データ、番組データ、告知データ及び制御データのそれぞれに分離する。分離部４１３は、配信データ、告知データ及び制御データを制御部４３１へ出力する。また、分離部４１３は、番組データから音声データと映像データを抽出する。分離部４１３は、抽出した音声データを音声復号部４１４へ出力する。また、分離部４１３は、抽出した映像データを映像復号部４１６へ出力する。
【００４３】
音声復号部４１４は、分離部４１３から音声データが入力される。入力された音声データは、所定の音声符号化方式（例えば、ＭＰＥＧ−４  オーディオ）で符号化されたデータである。音声復号部４１４は、符号化に用いられた符号化方式と対応する復号方式で、入力された音声データを復号し、復号した音声データを生成する。復号した音声データは、各時刻における音声のレベルを示すデータである。音声復号部４１４は、復号した音声データを拡声部４１５へ出力する。
拡声部４１５は、音声復号部４１４から入力された音声データに基づいて音声を再生する。拡声部４１５は、例えば、スピーカを含んで構成される。
【００４４】
映像復号部４１６は、分離部４１３から映像データが入力される。入力された映像データは、所定の映像符号化方式（例えば、ＨＥＶＣ：Ｈｉｇｈ  Ｅｆｆｉｃｉｅｎｃｙ  Ｖｉｄｅｏ  Ｃｏｄｉｎｇ）で符号化されたデータである。映像復号部４１６は、符号化に用いられた符号化方式と対応する復号方式で、入力された映像データを復号し、復号した映像データを生成する。復号した映像データは、各時刻における映像（フレーム画像）を形成する信号値を示すデータである。映像復号部４１６は、復号した映像データを画面合成部４１７へ出力する。
【００４５】
画面合成部４１７は、映像復号部４１６から映像データ入力され、制御部４３１から画面データが入力される。画面合成部４１７は、入力された映像データが示す映像と、画面データが示す画面とを合成して、表示データを生成する。画面合成部４１７は、合成により得られた表示データを表示部４１８へ出力する。
表示部４１８は、画面合成部４１７から表示データが入力される。表示部４１８は、入力された表示データが示す合成映像を再生する。表示部４１８は、例えば、ディスプレイを含んで構成される。
【００４６】
記憶部４２２は、各種のデータを記憶する。各種のデータとは、例えば、画面データである。記憶部４２２は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの組み合わせを含んで構成される。
【００４７】
操作入力部４２３は、ユーザーの操作入力に応じて操作信号を取得し、取得した操作信号を制御部４３１へ出力する。操作入力部４２３は、操作入力を受け付けるための部材として、例えば、スイッチ、つまみ、リモコンからの赤外線信号を受け付ける赤外線の受光部、等の専用の部材を含んで構成されてもよいし、タッチセンサ等の汎用の部材を含んで構成されてもよい。また、操作入力部４２３は、リモート入力する入出力インタフェースを備えてもよい。
【００４８】
制御部４３１は、受信装置４１の種々の動作を制御する。例えば、制御部４３１は、物理チャンネル毎に受信した受信信号として、受信装置４１に入力されるＩＦ信号の状態を判定し、また、ＩＦ信号の変調情報を取得する。そして、制御部４３１は、物理チャンネル間のＩＦ信号の状態と変調情報に基づいて、受信状態を判定する。制御部４３１は、判定した受信状態に関する通知情報として、メッセージ画面を表示部４１８に表示させる。
【００４９】
（制御部の構成）
次に、本実施形態に係る制御部４３１の構成について説明する。図６は、本実施形態に係る制御部４３１の構成を示すブロック図である。制御部４３１は、チャンネル設定部４３２、制御情報解析部４３３、信号状態判定部４３５、判定部４３６及び通知部４３７を含んで構成される。
【００５０】
チャンネル設定部４３２は、所定のサーチ範囲内の複数の物理チャンネルから、１つの物理チャンネルを選択する。また、チャンネル設定部４３２は、選択した物理チャンネルを示す選局信号を生成する。チャンネル設定部４３２は、生成した選局信号をチューナー４１１へ出力する。これにより、チューナー４１１が受信する物理チャンネル、つまりＩＦ周波数帯域が設定される。
判定部４３６が受信状態の判定を開始するとき、チャンネル設定部４３２には、判定部４３６から判定開始信号が入力される。このとき、チャンネル設定部４３２は、所定の物理チャンネルの初期値を選択する。初期値は、例えば、サーチ範囲内の物理チャンネルのうち、最低のＩＦ中心周波数に対応する物理チャンネルである。信号状態判定部４３５から判定部４３６へ信号状態判定の完了信号が入力された後、チャンネル設定部４３２は、選択する物理チャンネルを更新する。更新後の物理チャンネルは、例えば、更新前において選択されている物理チャンネルに隣接し、ＩＦ中心周波数が高い物理チャンネルである。これにより、チューナー４１１に受信させるＩＦ周波数帯域が、順次高い周波数帯域に変更される。所定のサーチ範囲内の全ての物理チャンネルが選択された後、チャンネル設定部４３２は、物理チャンネルの選択を停止し、チューナー４１１に、ＩＦ信号の受信を停止させる。
なお、放送番組のコンテンツを表示する際には、チャンネル設定部４３２には、操作入力部４２３から操作信号が入力される。チャンネル設定部４３２は、入力された操作信号で指定される物理チャンネルを示す選局信号を生成する。チャンネル設定部４３２は、生成した選局信号をチューナー４１１へ出力する。
【００５１】
制御情報解析部４３３は、分離部４１３から入力された制御データから、配信データの配信に係るネットワーク情報として、ＴＬＶストリーム毎の周波数、偏波の各領域から中心周波数、偏波特性を読み取る。ここで、制御情報解析部４３３は、配信データに係るＴＬＶストリームの周波数領域から中心周波数を読み取り、偏波領域に記述された偏波特性を示す符号を読み取る。制御情報解析部４３３は、読み取った中心周波数と偏波特性に対応する物理チャンネルを特定し、特定した物理チャンネルを示す受信チャンネル信号を信号状態判定部４３５へ出力する。
【００５２】
信号状態判定部４３５は、復調部４１２から変調情報を取得する。また、信号状態判定部４３５は、復調部４１２から入力された復調状態信号から復調情報を取得する。また、信号状態判定部４３５は、チューナー４１１から信号強度情報を取得する。信号状態判定部４３５は、取得した信号強度情報と復調情報とに基づいて、制御情報解析部４３３で特定した物理チャンネルに係るＩＦ周波数帯域成分の状態が良好であるか否かを判定する。なお、信号状態判定部４３５は、チャンネル設定部４３２から取得したチャンネル信号に基づいて、ＩＦ信号の受信状態の判定対象の物理チャンネルを特定してもよい。
【００５３】
信号状態判定部４３５は、信号強度情報が示す信号強度が所定の信号強度の閾値よりも高い場合、信号強度が十分であると判定する。信号状態判定部４３５は、信号強度情報が示す信号強度が所定の信号強度の閾値よりも低い場合、信号強度が弱いと判定する。
信号状態判定部４３５は、ＩＦ信号の品質（ＩＦ信号品質）の指標が、所定のＩＦ信号品質の指標の閾値より高いＩＦ信号品質を示すか否かを判定する。信号状態判定部４３５は、ＩＦ信号品質の指標として、例えば、ＣＮ（Ｃａｒｒｉｅ−ｔｏ−Ｎｏｉｓｅ）比、ＢＥＲ（Ｂｉｔ  Ｅｒｒｏｒ  Ｒａｔｅ；ビットエラー率）等の、いずれか又はこれらの任意の組み合わせを用いる。ＢＥＲやＣＮ比は、フロントエンド選局処理において取得可能である。また、信号状態判定部４３５は、ＩＦ信号品質の指標として、例えば、ＭＥＲ（Ｍｏｄｕｌａｔｉｏｎ  Ｅｒｒｏｒ  Ｒａｔｉｏ；変調誤差比）を用いてもよい。ＭＥＲとは、デジタル変調された信号におけるＳＮ（Ｓｉｇｎａｌ−ｔｏ−Ｎｏｉｓｅ）比の大きさである。
【００５４】
信号状態判定部４３５は、ＣＮ比が所定の閾値（例えば１８ｄＢ）よりも高いか否かを判定する。信号状態判定部４３５は、ＢＥＲが所定のＢＥＲの閾値（例えば２×１０−４）よりも低いか否かを判定する。信号状態判定部４３５は、ＣＮ比が所定のＣＮ比の閾値よりも高いとの条件と、ＢＥＲが所定のＢＥＲの閾値よりも低いとの条件と、のいずれか又は両者を満たすか否かを判定する。信号状態判定部４３５は、前述の条件を満たす場合、ＩＦ信号品質が良好であると判定し、満たさない場合、ＩＦ信号品質が劣ると判定する。信号状態判定部４３５は、この判定結果に基づいて、信号状態を示す状態判定信号を生成し、判定部４３６へ出力する。ここで、状態判定信号は、ＩＦ信号の状態として判定したＩＦ信号強度とＩＦ信号品質を示し、ＩＦ信号の変調情報を含む。
【００５５】
判定部４３６は、信号状態判定部４３５から物理チャンネル毎に入力された状態判定信号から、物理チャンネル毎の信号状態を示す情報（信号状態情報）を取得する。判定部４３６は、物理チャンネル毎の信号状態情報が示すＩＦ信号の状態と変調情報とに基づいて、物理チャンネル間における放送の受信状態を判定する。判定部４３６は、この判定結果に基づいて、物理チャンネル間における放送の受信状態を示す受信状態信号を生成し、通知部４３７へ出力する。通知部４３７は、判定部４３６から入力された受信状態信号に対応する画面データを、記憶部４２２から読み取る。通知部４３７は、読み取った画面データを、画面合成部４１７に出力する。受信状態の判定例、メッセージの例については、後述する。
【００５６】
（受信処理）
次に、本実施形態に係る受信処理について説明する。
図７は、本実施形態に係る受信処理を示すフローチャートである。
受信装置４１の各部は、所定のチャンネルのサーチ範囲内で、ステップＳ１０１〜Ｓ１０８の動作を繰り返す。その後、ステップＳ１０９に進む。
（ステップＳ１０１）チャンネル設定部４３２は、チューナー４１１に受信させるＩＦ信号の物理チャンネルを、隣接する物理チャンネルに更新する。但し、初回のループにおいて、チャンネル設定部４３２は、物理チャンネルとして所定の初期値を設定する。その後、ステップＳ１０２に進む。
【００５７】
（ステップＳ１０２）信号状態判定部４３５は、チューナー４１１から、ＩＦ信号の変調情報を取得する。その後、ステップＳ１０３に進む。
（ステップＳ１０３）復調部４１２は、チューナー４１１から入力されたＩＦ信号を復調し、復調により得られた多重化データについてフロントエンド選局処理を行う。その後、ステップＳ１０４に進む。
（ステップＳ１０４）信号状態判定部４３５は、復調部４１２によるＩＦ信号の復調が成功であるか否かを判定する。信号状態判定部４３５において、復調は成功であると判定するとき（ステップ１０４  ＹＥＳ）は、ステップＳ１０５に進む。信号状態判定部４３５において、復調は失敗であると判定するとき（ステップ１０４  ＮＯ）は、ステップＳ１０８に進む。
【００５８】
（ステップＳ１０５）信号状態判定部４３５は、受信したＩＦ信号の状態として信号強度と信号品質の指標値を取得する。その後、ステップＳ１０６に進む。
（ステップＳ１０６）信号状態判定部４３５は、取得した信号強度の指標値が、所定の指標値の閾値よりも高い信号強度を示すか否かを判定する。信号状態判定部４３５において、取得した信号強度の指標値が、所定の指標値の閾値より高い信号強度を示すと判定するとき（ステップＳ１０６  ＹＥＳ）は、ステップＳ１０７に進む。信号状態判定部４３５において、取得した信号強度の指標値が、所定の指標値の閾値より高い信号強度を示さないと判定するとき（ステップＳ１０６  ＮＯ）は、信号強度が不足すると判定し、ステップＳ１０８に進む。
（ステップＳ１０７）信号状態判定部４３５は、取得した信号品質の指標値が、所定の指標値の閾値よりも高い信号品質を示すか否かを判定する。信号状態判定部４３５において、取得した信号品質の指標値が、所定の指標値の閾値より高い信号品質を示すと判定するとき（ステップＳ１０７  ＹＥＳ）は、信号状態判定部４３５は、ＩＦ信号の状態が良好であることを示す信号状態情報を判定部４３６に通知し、ステップＳ１０１に戻る。信号状態判定部４３５において、取得した信号品質の指標値が、所定の指標値の閾値より高い信号品質を示さないと判定するとき（ステップＳ１０７  ＮＯ）は、信号品質が劣ると判定し、ステップＳ１０８に進む。
【００５９】
（ステップＳ１０８）信号状態判定部４３５は、ＩＦ信号の状態が劣ると判定し、ＩＦ信号の状態が劣ることを示す信号状態情報を判定部４３６に通知する。その後、サーチ範囲内の物理チャンネルのサーチが完了していない場合はステップＳ１０１に戻り、完了している場合はステップＳ１０９に進む。
【００６０】
（ステップＳ１０９）判定部４３６は、物理チャンネル間の信号状態情報に基づいて、放送の受信状態を判定する。判定部４３６は、判定した受信状態に対応するメッセージ画面を、表示部４１８に表示させる。その後、図７に示す処理を終了する。
【００６１】
（受信状態リストの例）
次に、受信状態リストの例について説明する。
受信状態リストは、信号状態情報が、物理チャンネルの昇順または降順に配置されたリストである。判定部４３６は、物理チャンネル毎に取得した信号状態情報に基づいて受信状態リストを生成してもよい。また、判定部４３６は、生成した受信状態リストを画面合成部４１７に出力することにより、表示部４１８に表示させてもよい。
【００６２】
図８は、本実施形態に係る受信状態リストの例を示す図である。
図８に示す例では、各行に、サーチ範囲内の物理チャンネル毎の偏波、信号強度（図８では受信強度と表される）、信号品質、変調情報から得られる変調方式（図８では構成と表される）、判定部の判定結果（図８では判定と表される）のセットが表されている。各セットは、上段から下段に向けて物理チャンネル、つまり、対応するＩＦ中心周波数の昇順に配置されている。ＢＳ−１、ＢＳ−３、…ＣＳ７までの２４チャンネルの物理チャンネルは、いずれも右旋偏波で伝送されるチャンネル群である。このチャンネル群に含まれるのは、ＢＳから右旋偏波で伝送されるチャンネル群（ＢＳ右旋）と、ＣＳから右旋偏波で伝送されるチャンネル群（ＣＳ右旋）である。ＢＳ−２、…ＢＳ−８までの２４チャンネルの物理チャンネルは、いずれも左旋偏波で伝送されるチャンネル群である。このチャンネル群に含まれるのは、ＢＳから左旋偏波で伝送されるチャンネル群（ＢＳ左旋）と、ＣＳから左旋偏波で伝送されるチャンネル群（ＣＳ左旋）である。
【００６３】
信号強度（受信強度）は、０〜１００の数字で表される。信号強度が強いほど、数字は大きい。図８の例では、ＢＳ−１からＣＳ−７までの物理チャンネルでは高い信号強度が示されるのに対し、ＢＳ−２以上のＩＦ中心周波数では信号強度は０である。
信号品質は、その指標値（例えば、ＣＮ比、ＢＥＲ、等）が所定の指標値の閾値より高い信号品質を示すか否かを判定した結果で表される。指標値が所定の指標値の閾値より高い信号品質を示すと判定した場合は、ＯＫと表される。指標値が所定の指標値の閾値より高い信号品質を示さないと判定された場合は、ＮＧと表される。図８の例では、ＢＳ−１からＣＳ−７までの物理チャンネルでは、ＣＳ−５を除き、ＯＫと判定されるのに対し、ＢＳ−２以上のＩＦ中心周波数では、信号品質はＮＧと判定される。また、ＣＳ−５は、信号品質がＮＧと判定される。
【００６４】
変調方式（構成）は、ＩＦ信号の変調方式である。図８の例では、ＢＳ−１からＣＳ−７までの物理チャンネルでは、ＣＳ−５を除き、変調方式として、８ＰＳＫが用いられている。ＢＳ−２以上のＩＦ中心周波数では、変調方式として、１６ＡＰＳＫが用いられている。また、ＣＳ−５では、変調方式として、１６ＡＰＳＫが用いられている。なお、１つの物理チャンネルに対して、複数の変調方式が用いられる場合がある。その場合、受信状態リストには、用いられる変調方式のうち、全ての変調方式をリストに含めてもよい。また、受信状態リストには、例えば、用いられる変調方式のうち、多値数の最も高い変調方式をリストに含めてもよい。
判定は、判定部４３６が判定した結果であり、物理チャンネル毎に結果が表示されている。図８の例では、条件として、信号強度が十分である（所定の閾値より高い）という条件と、信号品質がＯＫであるという条件と、の両者を満たす場合は、受信状態が良好であると判定し、判定にはＡと表される。条件として、信号強度が十分である（所定の閾値より高い）という条件と、信号品質がＯＫであるという条件と、のいずれか又は両者とも満たさない場合は、受信状態は不良であると判定し、判定にはＥ１、Ｅ２、Ｅ３、等と表される。受信状態の判定例、メッセージの例については、後述する。
【００６５】
（表示例）
次に、受信処理に係る表示例について説明する。
図９は、本実施形態に係る受信処理に係る表示例を示す図である。
図９（ａ）は、接続確認画面の例を示す。この接続確認画面は、復調部４１２によるフロントエンド選局処理、または信号状態判定部４３５におけるＩＦ信号の状態を判定する処理の実行中に、制御部４３１が表示部４１８に表示させる画面である。この接続確認画面は、「接続確認中」を示すメッセージＭｓ１１と、進行中の処理の進捗状況を示すプログレスバーＰｇ１１とを含んで構成される。接続確認画面を表示させる際、制御部４３１は、記憶部４２２に予め記憶された接続確認画面データを読み出し、読み出した接続確認画面データを画面合成部４１７に出力する。
【００６６】
図９（ｂ）は、接続確認画面の別の例を示す。受信状態を判定する処理が判定部４３６によって行われる前に、操作入力部４２３に入力を受けて選局が行われた場合、制御部４３１が表示部４１８に表示させる画面である。接続確認画面は、「放送が受信できません。接続確認してください」とのメッセージＭｓ１２と、確認ボタンとを含んで構成される。確認ボタンは、四角形に囲まれた「確認」の文字が付されたボタンである。接続確認画面を表示させる際、制御部４３１は、記憶部４２２に予め記憶された接続確認画面データを読み出し、読み出した接続確認画面データを画面合成部４１７に出力する。
【００６７】
（受信状態の判定）
次に、判定部４３６による受信状態の判定処理について説明する。
図１０は、本実施形態に係る受信状態の判定処理を説明するための図である。
図１０に示す例では、水平方向にＩＦ中心周波数を示す。ＢＳ右旋、ＣＳ右旋、ＢＳ左旋、ＣＳ左旋の文字を含む台形は、各チャンネル群の周波数帯域が１．０−１．５ＧＨｚ、１．６−２．１ＧＨｚ、２．２−２．７ＧＨｚ、２．８−３．３ＧＨｚであることを示す。各チャンネル群には、そのチャンネル群に属する１２個の物理チャンネルのそれぞれに対応したＩＦ周波数帯域が含まれる。図１０の最上段の実線の両矢印は、ＢＳ右旋またはＣＳ右旋に属する物理チャンネルのＩＦ信号の状態が良好（受信良好）であることを示す。ＩＦ信号の状態が良好とは、ビット誤りが生じず（生じたとしても訂正可能）、信号強度が十分であり、かつ信号品質が良好であることを意味する。最上段の破線の両矢印は、ＢＳ左旋またはＣＳ左旋のチャンネル群に属する物理チャンネルのＩＦ信号の状態が劣る（受信不良）ことを示す。ＩＦ信号の状態が劣るとは、訂正できないほどビット誤りが生じ、信号強度が弱いことと信号品質が劣ることのいずれかまたはそれらの組み合わせを意味する。このような受信不良の要因として、受信処理設備３１が左旋偏波成分の受信手段（例えば、アンテナ、変換機）を有していないことが推認される。
【００６８】
そこで、判定部４３６は、物理チャンネル間の放送の受信状態として、ある偏波成分（第一の偏波、図１０では、左旋偏波成分）に係る物理チャンネルのＩＦ信号の状態が、他の偏波成分（第二の偏波、図１０では、右旋偏波成分）に係る物理チャンネルのＩＦ信号の状態よりも劣る状態であるか否かを判定する。例えば、判定部４３６は、ある偏波成分に係るチャンネル群において、ＩＦ信号の状態が劣ると判定された物理チャンネル数の割合（不良割合、第一の割合）を算出する。次に、判定部４３６は、他の偏波成分に係るチャンネル群において、ＩＦ信号の状態が劣ると判定された物理チャンネル数の割合（不良割合、第二の割合）を算出する。次に、判定部４３６は、ある偏波成分について得られた不良割合と、他の偏波成分について得られた不良割合との差が、所定の差の閾値（例えば１）より大きいか否かを判定する。所定の差の閾値より大きい場合、物理チャンネル間の放送の受信状態が状態Ｅ１であると判定とする。状態Ｅ１は、受信不良の要因が、受信処理設備３１がある偏波成分（図１０では、左旋偏波成分）の受信手段（例えば、アンテナ、変換機）を有していないためである、と推認される状態を示す。状態Ｅ１と判定する場合、判定部４３６は、記憶部４２２に予め記憶されているメッセージ画面データのうち、状態Ｅ１に対応付けられたメッセージ画面データＥ１を、記憶部４２２から読み出す。判定部４３６は、読み出したメッセージ画面データＥ１を、画面合成部４１７に出力する。これにより、判定部４３６は、当該メッセージ画面データＥ１が示すメッセージ画面Ｅ１を、通知情報として表示部４１８に表示させる。
つまり、受信装置４１は、前記第一の割合が前記第二の割合より所定の差を超えて大きい場合、第一の偏波の受信不良を通知する受信装置である。
【００６９】
また、判定部４３６は、例えば、また第一の偏波で伝送される物理チャンネルの受信品質が所定の品質を満足せず、かつ、第二の偏波で伝送される物理チャンネルのうち少なくとも１つの受信品質が所定の品質を満足する場合に、第一の偏波の受信不良を通知部４３７に通知してもよい。判定部４３６は、通知した情報を表示部４１８に表示させてもよい。
また、判定部４３６は、例えば、第一の偏波で伝送される物理チャンネルのうち、複数の所定の物理チャンネルの受信品質が全て所定の品質を満足せず、かつ、第二の偏波で伝送される物理チャンネルのうち少なくとも１つの受信品質が所定の品質を満足する場合に、第一の偏波の受信不良を通知部４３７に通知してもよい。判定部４３６は、通知した情報を表示部４１８に表示させてもよい。
また、判定部４３６は、例えば、第一の偏波で伝送される物理チャンネルのうち、所定の数の物理チャンネルの受信品質が全て所定の品質を満足せず、かつ、第二の偏波で伝送される物理チャンネルのうち少なくとも１つの受信品質が所定の品質を満足する場合に、第一の偏波の受信不良を通知部４３７に通知してもよい。判定部４３６は、通知した情報を表示部４１８に表示させてもよい。
また、判定部４３６は、例えば、物理チャンネルの受信品質が所定の品質未満であるか否か判定する判定手段を備え、第一の偏波で伝送される複数の物理チャンネルの受信品質が所定の品質未満である第一の割合と第二の偏波で伝送される複数の物理チャンネルの受信品質が所定の品質未満である第二の割合とを比較し、前記第一の割合が前記第二の割合より所定の差を超えて大きいか否かに応じて第一の偏波の受信品質に対応する表示を変化させてもよい。
【００７０】
図１０の第２段の実線の両矢印は、ＩＦ中間周波数が２．６ＧＨｚよりも低域の物理チャンネルのＩＦ信号の状態が良好（受信良好）であることを示す。これに対し、同段の破線の両矢印は、ＩＦ中間周波数が２．６ＧＨｚよりも高域の物理チャンネルのＩＦ信号の状態が劣る（受信不良）ことを示す。このような受信不良の要因として、受信処理設備３１と受信装置４１の間に、広域のＩＦ信号を処理できる機器（例えば、ブースター）が接続されていないことや、十分な信号強度を保ってＩＦ信号を伝送できない配線（例えば、ケーブル）が用いられていることが推認される。十分な信号強度を維持できないのは、ＩＦ中間周波数が高くなるほど、受信処理設備３１から受信装置４１への配線インピーダンスが高くなることによる。
【００７１】
そこで、判定部４３６は、物理チャンネル間の放送の受信状態として、ある周波数よりも高いＩＦ中心周波数の物理チャンネルのＩＦ信号の状態が、ある周波数よりも低いＩＦ中心周波数の物理チャンネルのＩＦ信号の状態よりも劣る状態であるか否かを判定する。例えば、判定部４３６は、次の処理を行うことにより、受信状態が状態Ｅ２であると判定する。判定部４３６は、基準周波数よりも高いＩＦ中間周波数に係る物理チャンネルにおいて、ＩＦ信号の状態が劣ると判定された物理チャンネル数の割合（不良割合、第一の割合）を算出する。また、判定部４３６は、基準周波数よりも低いＩＦ中間周波数に係る物理チャンネルにおいて、ＩＦ信号の状態が劣ると判定された物理チャンネル数の割合（不良割合、第二の割合）を算出する。次に、判定部４３６は、基準周波数よりも高いＩＦ中間周波数について得られた不良割合と、基準周波数よりも低いＩＦ中間周波数について得られた不良割合との差を算出する。判定部４３６は、サーチ範囲内において、その差が最も大きい基準周波数を与える物理チャンネルを探索する。判定部４３６は、探索した物理チャンネルについて算出した差が、所定の閾値よりも大きい場合、物理チャンネル間の放送の受信状態が、状態Ｅ２であると判定する。状態Ｅ２は、受信不良の要因が、受信処理設備３１と受信装置４１の間に存在することが推認される状態を示す。
【００７２】
図１０の例では、２．６ＧＨｚよりもＩＦ中間周波数が高い物理チャンネルについて、ＩＦ信号の状態が、それよりもＩＦ中間周波数が低い物理チャンネルのＩＦ信号の状態よりも劣ると判定される。状態Ｅ２と判定する場合、判定部４３６は、記憶部４２２に予め記憶されているメッセージ画面データのうち、状態Ｅ２に対応付けられたメッセージ画面データＥ２を、記憶部４２２から読み出す。判定部４３６は、読み出したメッセージ画面データＥ２を、画面合成部４１７に出力する。これにより、判定部４３６は、当該メッセージ画面データＥ２が示すメッセージ画面Ｅ２を、通知情報として表示部４１８に表示させる。
つまり、受信装置４１は、前記第一の割合が前記第二の割合より所定の差を超えて大きい場合、所定周波数以上の受信不良を通知する受信装置である。
【００７３】
また、判定部４３６は、例えば、所定周波数以上の周波数で伝送される物理チャンネルの受信品質が所定の品質を満足せず、かつ、所定周波数未満の周波数で伝送される物理チャンネルのうち少なくとも１つの受信品質が所定の品質を満足する場合に、所定周波数以上の受信不良を通知部４３７に通知してもよい。判定部４３６は、通知した情報を表示部４１８に表示させてもよい。
また、判定部４３６は、例えば、所定周波数以上の周波数で伝送される物理チャンネルのうち、複数の所定の物理チャンネルの受信品質が全て所定の品質を満足せず、かつ、所定周波数未満の周波数で伝送される物理チャンネルのうち少なくとも１つの受信品質が所定の品質を満足する場合に、所定周波数以上の受信不良を通知部４３７に通知してもよい。判定部４３６は、通知した情報を表示部４１８に表示させてもよい。
また、判定部４３６は、例えば、所定周波数以上の周波数で伝送される物理チャンネルのうち、所定の数の物理チャンネルの受信品質が全て所定の品質を満足せず、かつ、所定周波数未満の周波数で伝送される物理チャンネルのうち少なくとも１つの受信品質が所定の品質を満足する場合に、所定周波数以上の受信不良を通知部４３７に通知してもよい。判定部４３６は、通知した情報を表示部４１８に表示させてもよい。
また、受信装置４１は、例えば、物理チャンネルの受信品質が所定の品質未満であるか否か判定する判定手段を備え、所定周波数以上の周波数で伝送される複数の物理チャンネルの受信品質が所定の品質未満である第一の割合と所定周波数未満の周波数で伝送される複数の物理チャンネルの受信品質が所定の品質未満である第二の割合とを比較し、前記第一の割合が前記第二の割合より所定の差を超えて大きいか否かに応じて所定周波数以上の受信品質に対応する表示を変化させてもよい。
【００７４】
図１０の第３段の実線の両矢印は、これにより示される周波数範囲に含まれるＩＦ中間周波数の物理チャンネルのＩＦ信号の状態が良好である（受信良好）ことを示す。図１０の第３段の破線の両矢印は、これにより示される周波数範囲に含まれるＩＦ中間周波数の物理チャンネルのＩＦ信号の状態が劣る（受信不良）ことを示す。このような受信状態の要因として、遮蔽物等により一部の物理チャンネルのＩＦ信号が妨げられて受信できない、とか、ブースターの利得が高く設定されていて、ブースターからの出力が非線形の歪みを生じているために、一部の物理チャンネルのＩＦ信号が復調できない、等が推認される。特に、受信良好である物理チャンネルで用いられる変調方法が、信号振幅を情報として利用しない、信号点の少ない方式、例えば、８ＰＳＫであり、受信不良である物理チャンネルで用いられる変調方法が、信号振幅を情報として利用する、信号点の多い方式、例えば、１６ＡＰＳＫである場合、１６ＡＰＳＫは、８ＰＳＫよりも信号の非線形の歪みに対する耐性が低いので、ブースターの利得が高く設定されていて、ブースターからの出力が非線形の歪みを生じているために、一部の物理チャンネルのＩＦ信号が復調できない、と特定される。
【００７５】
そこで、判定部４３６は、受信不良の要因を特定するために、例えば、ＩＦ信号の状態が劣る物理チャンネルの信号強度が、所定の閾値よりも高いか否かを判定する。また、判定部４３６は、ＩＦ信号の状態が劣る物理チャンネルの信号品質が、所定の閾値よりも高いか否かを判定する。信号強度が所定の閾値よりも高く、かつ信号品質が所定の閾値より高くないと判定された場合、判定部４３６は、ＩＦ信号の状態が劣る物理チャンネルの変調方式が、１６ＡＰＳＫか否かを判定する。また、判定部４３６は、ＩＦ信号の状態が良好である物理チャンネルの変調方式が１６ＡＰＳＫか否かを判定する。ＩＦ信号の状態が劣る物理チャンネルの変調方式が１６ＡＰＳＫで、かつＩＦ信号の状態が良好である物理チャンネルの変調方式が１６ＡＰＳＫではない場合、判定部４３６は、物理チャンネル間の放送の受信状態が、状態Ｅ３であると判定する。状態Ｅ３は、受信不良の要因として、ブースターの利得が高く設定されていること、が推認される状態を示す。
なお、判定部４３６は、上述の判定において、状態Ｅ３ではないと判定する場合、状態を、状態Ｅ３とは異なる、例えば状態Ｅ４、等と判定してもよい。
【００７６】
また、判定部４３６は、物理チャンネル間の放送の受信状態として、振幅変調方式を用いる物理チャンネルのＩＦ信号の状態が、振幅変調方式を用いない物理チャンネルのＩＦ信号の状態よりも劣る状態であるか否かを判定してもよい。例えば、判定部４３６は、振幅変調方式を用いるチャンネル群において、ＩＦ信号の状態が劣ると判定された物理チャンネル数の割合（不良割合、第一の割合）を算出し、振幅変調方式を用いないチャンネル群において、ＩＦ信号の状態が劣ると判定された物理チャンネル数の割合（不良割合、第二の割合）を算出してもよい。判定部４３６は、第一の割合と第二の割合との差が、所定の差の閾値より大きいか否かを判定し、所定の差の閾値より大きい場合、物理チャンネル間の放送の受信状態が状態Ｅ３であると判定してもよい。
また、１つの物理チャンネルについて、複数の変調方式が用いられる場合がある。この場合、物理チャンネルで用いられる変調方法が、例えば、そのチャンネルで用いられる変調方式のうち、多値数の最も高い変調方式であるとしてもよい。受信良好である物理チャンネルで用いられる変調方法が信号点の少ない方式であり、受信不良である物理チャンネルで用いられる変調方法が信号点の多い方式である場合、多値数の高い変調方式は多値数の低い変調方式よりも信号の非線形の歪みに対する耐性が低いので、ブースターの利得が高く設定されていて、ブースターからの出力が非線形の歪みを生じているために、一部の物理チャンネルのＩＦ信号が復調できない、と特定してもよい。
【００７７】
状態Ｅ３と判定する場合、判定部４３６は、記憶部４２２に予め記憶されているメッセージ画面データのうち、状態Ｅ３に対応付けられたメッセージ画面データＥ３を、記憶部４２２から読み出す。判定部４３６は、読み出したメッセージ画面データＥ３を、画面合成部４１７に出力する。これにより、判定部４３６は、当該メッセージ画面データＥ３が示すメッセージ画面Ｅ３を、通知情報として表示部４１８に表示させる。
つまり、受信装置４１は、第一の割合が第二の割合より所定の差を超えて大きい場合、振幅位相変調に係る受信不良を通知する受信装置である。
【００７８】
また、判定部４３６は、例えば、振幅位相変調方式を用いて伝送される物理チャンネルの受信品質が所定の品質を満足せず、かつ、振幅位相変調方式を用いずに伝送される物理チャンネルのうち少なくとも１つの受信品質が所定の品質を満足する場合に、振幅位相変調方式の受信不良を通知部４３７に通知してもよい。判定部４３６は、通知した情報を表示部４１８に表示させてもよい。
また、判定部４３６は、例えば、振幅位相変調方式を用いて伝送される物理チャンネルのうち、複数の所定の物理チャンネルの受信品質が全て所定の品質を満足せず、かつ、振幅位相変調方式を用いずに伝送される物理チャンネルのうち少なくとも１つの受信品質が所定の品質を満足する場合に、振幅位相変調方式の受信不良を通知部４３７に通知してもよい。判定部４３６は、通知した情報を表示部４１８に表示させてもよい。
また、判定部４３６は、例えば、振幅位相変調方式を用いて伝送される物理チャンネルのうち、所定の数の物理チャンネルの受信品質が全て所定の品質を満足せず、かつ、振幅位相変調方式を用いずに伝送される物理チャンネルのうち少なくとも１つの受信品質が所定の品質を満足する場合に、振幅位相変調方式の受信不良を通知部４３７に通知してもよい。判定部４３６は、通知した情報を表示部４１８に表示させてもよい。
また、受信装置４１は、例えば、物理チャンネルの受信品質が所定の品質未満であるか否か判定する判定手段を備え、振幅位相変調を用いて伝送される複数の物理チャンネルの受信品質が所定の品質未満である第一の割合と振幅位相変調を用いずに伝送される複数の物理チャンネルの受信品質が所定の品質未満である第二の割合とを比較し、前記第一の割合が前記第二の割合より所定の差を超えて大きいか否かに応じて振幅位相変調の受信品質に対応する表示を変化させてもよい。
【００７９】
なお、判定部４３６は、状態Ｅ３ではないと判定する場合であっても、状態Ｅ３に対応付けられたメッセージ画面データＥ３を、記憶部４２２から読み出してもよい。これにより、判定部４３６は、読み出したメッセージ画面データＥ３を、画面合成部４１７に出力してもよい。これにより、判定部４３６は、メッセージ画面データＥ３が示すメッセージ画面Ｅ３を、通知情報として表示部４１８に表示させてもよい。
あるいは、判定部４３６は、状態Ｅ３ではないと判定する場合、判定結果に対応したメッセージ画面データを記憶部４２２から読み出してもよい。これにより、判定部４３６は、読み出したメッセージ画面データを、画面合成部４１７に出力してもよい。これにより、判定部４３６は、このメッセージ画面データが示すメッセージ画面を、通知情報として表示部４１８に表示させてもよい。
【００８０】
（メッセージ画面の表示）
次に、本実施形態に係るメッセージ画面の例について説明する。
図１１は、本実施形態に係るメッセージ画面の例を示す図である。
図１１（ａ）は、メッセージ画面Ｅ１の表示例を示す。
メッセージ画面Ｅ１は、メッセージＭｓ２１を含んで構成される。メッセージＭｓ２１は、状態Ｅ１をもたらす可能性がある要因として「アンテナが非対応の可能性があります」とのメッセージと、その対策として「確認してください」を示すメッセージとを含んで構成される。
【００８１】
図１１（ｂ）は、メッセージ画面Ｅ２の表示例を示す。
メッセージ画面Ｅ２は、メッセージＭｓ２２を含んで構成される。メッセージＭｓ２２は、状態Ｅ２をもたらす可能性がある要因を解決するための対策として「アンテナと受信機間の機器と配線を確認してください」とのメッセージを含んで構成される。
【００８２】
図１１（ｃ）は、メッセージ画面Ｅ３の表示例を示す。
メッセージ画面Ｅ３は、メッセージＭｓ２３を含んで構成される。メッセージＭｓ２３は、状態Ｅ３をもたらす可能性がある要因を解決するための対策として「ブースター等のレベルを確認してください」とのメッセージを含んで構成される。
【００８３】
以上に説明したように、本実施形態に係る受信装置４１は、アンテナから受信したＩＦ信号の状態を判定し、判定結果を示す信号状態情報を生成する信号状態判定部４３５と、偏波の一つの旋回方向について、複数の物理チャンネルのＩＦ信号の信号状態情報を取得し、取得した信号状態情報に基づいて、受信不良の要因を特定する判定部４３６を備える。
この構成により、放送波で伝送される情報を取得できない要因を特定することができる。
【００８４】
また、判定部４３６は、物理チャンネル間の受信状態として、アンテナがある旋回方向の偏波を受信できるか否かを判定する。
この構成により、放送波で伝送される情報を取得できない要因が、ある旋回方向の偏波を受信するための受信設備（アンテナ、等）の不備であるか否かを判定することができる。
【００８５】
また、判定部４３６は、物理チャンネル間の受信状態として、ある周波数以上の受信信号が受信できないときに、全ての旋回方向の偏波を受信可能であるか否かを判定し、判定結果に基づいて、受信処理設備３１から受信装置４１までの設備のそれぞれが放送波の少なくとも一部を受信できるか否かを判定する。
この構成により、放送波で伝送される情報を取得できない要因が、受信設備３１から受信装置４１に接続される機器または配線として、ある周波数よりも高い周波数のＩＦ信号の伝送に適した機器または配線が用いられていることであるか否かを判定することができる。
【００８６】
また、判定部４３６は、前記判定部は、ＩＦ信号の状態が所定の状態より劣る物理チャンネルの信号状態情報と変調情報に基づいて、当該物理チャンネルを受信できない要因を特定する。
この構成により、放送波で伝送される情報を取得できない要因が、物理チャンネルのＩＦ信号の信号増幅に係ることであるか否かを特定することができる。
【００８７】
また、判定部４３６は、判定した物理チャンネル間の受信状態に関する通知情報を画面合成部４１７に出力する。
この構成により、通知情報として、例えば、ユーザーに、放送波で伝送される情報を取得できない要因やその対策を通知する。そのため、ユーザーに、放送波で伝送される情報を取得するための行動を促すことができる。
【００８８】
また、判定部４３６は、判定した物理チャンネル毎の、変調方式を含む信号状態情報に基づいて受信状態リストを生成し、それを画面合成部４１７に出力する。
この構成により、通知情報として、例えば、ユーザーに、放送波の物理チャンネル毎に伝送される情報を取得できない要因やその対策を通知する。そのため、ユーザーに、放送波の物理チャンネル毎に伝送される情報を取得するための行動を促すことができる。
【００８９】
なお、本発明は上述した各実施形態に限定されるものではなく、特許請求の範囲に示した範囲で種々の変更が可能であり、異なる実施形態にそれぞれ開示された技術的構成を適宜組み合わせて得られる実施形態についても本発明の技術的範囲に含まれる。
また、本発明の各構成要素は、任意に取捨選択することができ、取捨選択した構成を具備する発明も本発明に含まれるものである。
【００９０】
例えば、受信装置４１の拡声部４１５、表示部４１８及び操作入力部４２３のいずれかまたはそれらの任意の組み合わせは、受信装置４１のその他の部分と別体であってもよい。また、通知情報は、拡声部４１５から音声で通知されてもよい。受信装置４１は、テレビジョン受像機に限定されるものではなく、例えば、レコーダーやセットトップボックスであってもよい。
【００９１】
上述した実施形態では、送信装置１１が放送伝送路１２を介して受信処理設備３１に放送波を伝送する際、主に右旋円偏波と左旋円偏波を用いる場合を例にしたが、複数の伝送チャンネル間で、偏波の種類が異なる偏波が用いられれば良い。例えば、円偏波と直線偏波が用いられてもよい。また、複数の伝送チャンネル間で、互いに偏波特性が異なる、好ましくは直交する偏波が用いられれば良い。例えば、水平偏波と垂直偏波が用いられてもよい。
【００９２】
また、上述した実施形態にける送信装置１１の一部、受信装置４１の一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００９３】
１  放送システム
１１−１  １１−２  １１−３  送信装置
１１１  配信データ取得部
１１２  番組データ取得部
１１３  告知データ取得部
１１４  制御データ取得部
１１５  多重化部
１１６  変調部
１１７  アンテナ
１２  放送伝送路
１３  放送衛星
３１  受信処理設備
４１  受信装置
４１１  チューナー
４１２  復調部
４１３  分離部
４１４  音声復号部
４１５  拡声部
４１６  映像復号部
４１７  画面合成部
４１８  表示部
４２２  記憶部
４２３  操作入力部
４３１  制御部
４３２  チャンネル設定部
４３３  制御情報解析部
４３５  信号状態判定部
４３６  判定部
４３７  通知部
【図１】
2016181872.tif 000003
【図２】
2016181872.tif 000004
【図３】
2016181872.tif 000005
【図４】
2016181872.tif 000006
【図５】
2016181872.tif 000007
【図６】
2016181872.tif 000008
【図７】
2016181872.tif 000009
【図８】
2016181872.tif 000010
【図９】
2016181872.tif 000011
【図１０】
2016181872.tif 000012
【図１１】
2016181872.tif 000013